(57)【要約】      （修正有）【課題】  デザイン性をもたせた立掛け具を提供することを目的とする。【解決手段】  コイル形状の立掛け具３の先端部をフレーム２の長手方向の縁部に引っ掛けて立掛け具３をフレーム２の脚として機能させることによりフレーム２を立たせると、立掛け具３の先端部をフレーム２の縁部に引っ掛けると、立掛け具３が弧を描くように曲がり、コイルが複雑に変形することにより得られるデザイン性を立掛け具３にもたせることができる。【選択図】図２
2007014592.tif 000002
【特許請求の範囲】
【請求項１】
物品の立掛け具であって、
コイル状に形成され、一部が前記物品の縁部に引っ掛けられ前記物品の脚として機能することにより前記物品を立たせる、
ことを特徴とする物品の立掛け具。
【請求項２】
請求項１に記載の物品の立掛け具であって、
先端にいくにつれてコイル形状の径が小さくなるように形成されている、
ことを特徴とする物品の立掛け具。
【請求項３】
請求項１または請求項２に記載の物品の立掛け具であって、
前記物品は板状のフレームであり、
当該立掛け具の一部を、長方形に形成された前記フレームの長手方向の縁部、前記フレームの長手方向と直交する方向の縁部、または前記フレームの角の縁部に引っ掛けて前記立掛け具を前記フレームの脚として機能させることにより前記フレームを縦、横、または斜めに立たせる、
ことを特徴とする物品の立掛け具。
【請求項４】
一方の面にカードが固定される板状のフレームと、
前記カードが固定されない方の前記フレームの面から外側に向かって伸びるようにして前記面に設けられるコイル状の立掛け具と、
を備え、
前記立掛け具の一部を前記フレームの縁部に引っ掛けて前記立掛け具を前記フレームの脚として機能させることにより前記フレームを立たせる、
ことを特徴とするフォトフレーム。
【発明の詳細な説明】
【技術分野】
【０００１】
本発明は、写真や鏡などの物品を卓上などに立たせるための立掛け具に関し、特に、デザイン性を向上させた物品の立掛け具及びフォトフレームに関する。
【背景技術】
【０００２】
従来から様々な形態の物品の立掛け具が考えられている。例えば、写真などを固定するためのフレームの裏側に設けられる立掛け具として、ネクタイ状に形成された立掛け具がある（例えば、特許文献１参照）。このように形成された立掛け具は、写真の表示内容に合わせてフレームを縦にも横にも立たせることができるという機能性を有している。
【特許文献１】登録実用新案第３０５９１０９号公報
【発明の開示】
【発明が解決しようとする課題】
【０００３】
しかしながら、立掛け具は、上述したように、通常、物品の裏側に設けられるため、物品を立て掛ける際、立掛け具は物品に隠れて見えなくなる。そのため、立掛け具のデザイン性は、あまり考慮されない場合があり、そのような物品の裏側の見た目はあまり良くないものになっている場合がある。そして、このように、裏側の見た目があまり良くない物品は、裏側が見られないように壁際に置くなど、設置場所が限定されるおそれがある。
【０００４】
そこで、本発明では、デザイン性をもたせた立掛け具を提供することを目的とする。
【課題を解決するための手段】
【０００５】
上記の課題を解決するために本発明では、以下のような構成を採用した。
すなわち、本発明の物品の立掛け具は、コイル状に形成され、一部が前記物品の縁部に引っ掛けられ前記物品の脚として機能することにより前記物品を立たせることを特徴とする。
【０００６】
本発明の立掛け具は、一部を物品の縁部に引っ掛ける構成であるため、立掛け具が弧を描くように曲がる。そのため、コイル形状が複雑に変形することにより得られるデザイン性を立掛け具にもたせることができる。これにより、裏側が見えるような場所にも物品を設置することができるようになるので、物品の設置場所が限定されることがなくなる。
【０００７】
また、上記立掛け具は、先端にいくにつれてコイル形状の径が小さくなるように形成してもよい。
これにより、立掛け具のデザイン性をさらに向上させることができる。
【０００８】
また、上記物品を板状のフレームとし、前記立掛け具の一部を、長方形に形成された前記フレームの長手方向の縁部、前記フレームの長手方向と直交する方向の縁部、または前記フレームの角の縁部に引っ掛けて前記立掛け具を前記フレームの脚として機能させることにより前記フレームを縦、横、または斜めに立たせるようにしてもよい。
【０００９】
これにより、フレームに入れるカードの表示内容に合わせてフレームを縦、横、または斜めに立たせることができるので、カードの表示内容を限定させず立掛け具の機能性を向上させることができる。
【００１０】
また、本発明の範囲は、フォトフレームにまで及ぶ。
【発明の効果】
【００１１】
本発明によれば、立掛け具にデザイン性をもたせることができる。
【発明を実施するための最良の形態】
【００１２】
以下、本発明の実施形態を図面を用いて説明する。
図１は、本発明の実施形態の立掛け具を示す図であり、図１（ａ）は、立掛け具の適用例としてのフォトフレームを斜め前から見た図であり、図１（ｂ）は、フォトフレームを斜め後から見た図である。
【００１３】
図１（ａ）または図１（ｂ）に示すように、フォトフレーム１は、一方の面に写真が固定される板状のフレーム２と、写真が固定されない方のフレーム２の面（図１（ｂ）に示すフレーム２の面）から外側に向かって伸びるようにしてその面（図１（ｂ）に示すフレーム２の面）に設けられるコイル形状の立掛け具３とを備えて構成されている。なお、フレーム２は、例えば、写真以外にもポストカード、メニュー、カレンダー、パーティーの案内状、または結婚式場で使用されるネームプレートなどのレセプションカードなどを固定してもよい。
【００１４】
フレーム２は、同じ大きさの２枚の透明なアクリル板が合わせられて構成されている。２枚のアクリル板は、止め具４により互いに固定されている。止め具４は、ボルトとナットで構成されているものとする。なお、フレーム２の材質は、アクリル板以外にも木やアルミニウムなど特に限定されない。また、２枚のアクリル板は、接着剤により互いに固定されてもよい。
【００１５】
立掛け具３は、鋼などの針金がコイル状に形成されることにより構成されている。また、立掛け具３を構成する針金の一方の端部は、フレーム２の写真が固定されない面の中央付近に止め具５により固定されている。止め具５は、ボルトとナットで構成されているものとする。また、立掛け具３のフレーム２と固定される方の端部は、止め具５のボルトが通るようにリング状に形成されているものとする。また、立掛け具３を構成する針金の他方の端部には、球状部材６が設けられている。また、立掛け具３のコイル形状は、先端にいくにつれて径が小さくなっている。すなわち、立掛け具３全体は、略円錐形になるように構成され、その略円錐形の底面側がフレーム２に固定されている。なお、立掛け具３を構成させる針金の材質や太さは、コイル形状の立掛け具３に柔軟性が生じるような材質や太さであれば特に限定されない。フレーム２を大きくする場合は、立掛け具３を構成する針金を太くすることが望ましい。また、立掛け具３は、先端にいくにつれてコイル形状の径が大きくなるようにしてもよい。また、立掛け具３は、樹脂により構成されてもよい。
【００１６】
次に、写真の交換方法について説明する。まず、止め具４を全て外す。次に、２枚のアクリル板を互いに離して写真をアクリル板から取り出す。次に、新しい写真を一方のアクリル板に載せ、他方のアクリル板を写真に載せる。そして、止め具４により２枚のアクリル板を互いに固定する。これにより、新しい写真を２枚のアクリル板の間に固定することができる。
【００１７】
図２は、フォトフレーム１の使用例を示す図である。なお、図２（ａ）は、フォトフレーム１を斜め前から見た図であり、図１（ｂ）は、フォトフレーム１を斜め後から見た図である。
【００１８】
本実施形態の立掛け具３の特徴とする点は、図２（ａ）または図２（ｂ）に示すように、コイル形状の立掛け具３の先端部をフレーム２の長手方向の縁部に引っ掛けて立掛け具３をフレーム２の脚として機能させることによりフレーム２を立たせる点である。
【００１９】
このように、立掛け具３の先端部をフレーム２の縁部に引っ掛けると、図２（ｂ）に示すように、立掛け具３が弧を描くように曲がる。そのため、コイル形状が複雑に変形することにより得られるデザイン性を立掛け具３にもたせることができる。これにより、フォトフレーム１の裏側の見た目をよくすることができ、裏側が見えるような場所にもフォトフレーム１を設置することができるようになるので、設置場所が限定されることがなくなる。また、立掛け具３は、先端にいくにつれてコイル形状の径が小さくなっているので、デザイン性をさらに向上させることができる。
【００２０】
なお、フレーム２の立たせ方は、図２に示すような立たせ方以外にも様々な立たせ方がある。
図３は、フォトフレーム１の他の使用例を示す図である。なお、図３（ａ）は、フォトフレーム１を斜め前から見た図であり、図３（ｂ）は、フォトフレーム１を斜め後から見た図である。
【００２１】
図３（ａ）または図３（ｂ）に示すように、立掛け具３の先端部をフレーム２の長手方向と直交する方向の縁部に引っ掛けてフレーム２を横に立たせることもできる。
また、図４は、本発明の実施形態のフォトフレーム１のさらに他の使用例を示す図である。なお、図４（ａ）は、フォトフレーム１を斜め前から見た図であり、図４（ｂ）は、フォトフレーム１を斜め後から見た図である。
【００２２】
図４（ａ）または図４（ｂ）に示すように、立掛け具３の中央部をフレーム２の長手方向の縁部に引っ掛けてフレーム２を横に立たせることもできる。
このように、立掛け具３の一部（立掛け具３の先端部または中央部）をフレーム２の縁部に引っ掛けることにより、写真の表示内容に合わせてフレーム２を縦にも横にも立たせることができるので、写真の表示内容を限定させず立掛け具３の機能性を向上させることができる。
【００２３】
なお、上記実施形態では、立掛け具３の一部をフレーム２の縁部に引っ掛けてフレーム２を縦または横に立たせる構成であるが、立掛け具３の一部をフレーム２の縁部に引っ掛けてフレーム２を斜めに立たせてもよい。
【００２４】
また、上記実施形態では、立掛け具３の一部をフレーム２の縁部に引っ掛けて立掛け具３をフレーム２の脚として機能させる構成であるが、立掛け具３の一部をフレーム２の角部に引っ掛けて立掛け具３をフレーム２の脚として機能させてもよい。
【００２５】
また、上記実施形態では、フレーム２の縁部に立掛け具３の一部を１箇所引っ掛ける構成であるが、立掛け具３を構成する針金をさらに長くして、フレーム２の縁部に立掛け具３の一部を２箇所以上引っ掛けるようにしてもよい。
【００２６】
また、上記実施形態では、立掛け具３全体が略円錐形に形成されているが、立掛け具３全体を略多角錐形に形成してもよい。
また、上記実施形態では、立掛け具３の先端に球状部材６が設けられる構成であるが、立掛け具３の先端に他の形状の部材を設けてもよい。
【００２７】
また、上記実施形態では、立掛け具３がフレーム２に１つ設けられる構成であるが、立掛け具３をフレーム２に２つ以上設けてもよい。
また、写真、フレーム２、または立掛け具３などを照らすためのＬＥＤ（Ｌｉｇｈｔ  Ｅｍｉｔｔｉｎｇ  Ｄｉｏｄｅ）などの照明をフォトフレーム１に備えてもよい。
【００２８】
また、時計をフォトフレーム１に備えてもよい。
また、立掛け具３の一部をフレーム２の縁部に引っ掛けた後、立掛け具３のコイル形状の隙間に花（生花または造花）を挿してもよい。
【００２９】
また、上記実施形態では、立掛け具３をフレーム２の脚として機能させる構成であるが、立掛け具３を照明器具、時計、スタンドミラー、またはテーブルや椅子などの家具類の脚として機能させるように構成してもよい。
【図面の簡単な説明】
【００３０】
【図１】本発明の実施形態の立掛け具を示す図である。
【図２】本発明の実施形態のフォトフレームの使用例を示す図である。
【図３】本発明の実施形態のフォトフレームの他の使用例を示す図である。
【図４】本発明の実施形態のフォトフレームのさらに他の使用例を示す図である。
【符号の説明】
【００３１】
１      フォトフレーム
２      フレーム
３      立掛け具
４      止め具
５      止め具
６      球状部材
【図１】
2007014592.tif 000003
【図２】
2007014592.tif 000004
【図３】
2007014592.tif 000005
【図４】
2007014592.tif 000006